(57)【要約】【課題】  本発明はボルトを使用するまでは配線ボックス本体の底面に当接するように位置し、使用時には取り外しが容易にできるように、ボルトの遊端部を配線ボックス本体の底面より浮き上がるように回動させることができる配線ボックスを得るにある。【解決手段】  合成樹脂材製の配線ボックス本体と、この配線ボックス本体の両端ほぼ中央部にナットが設けられた一対の筒状の支柱と、配線ボックス本体の底面に接続部を残して切り欠き後方へ回動できるように形成されたボルトの先端部を係止することができるボルト支持部材と、このボルト支持部材を所定量後方へ回動した所で係止させる係止手段と、ボルト支持部材に前記配線ボックスの底面に位置するように先端部が支持された配線ボックス本体に器具取付板を固定するナットとそれぞれ螺合するボルトとで配線ボックスを構成している。【選択図】  図９
2009284686.tif 000002
【特許請求の範囲】
【請求項１】
合成樹脂材製の配線ボックス本体と、この配線ボックス本体の両端ほぼ中央部にナットが設けられた一対の筒状の支柱と、前記配線ボックス本体の底面に接続部を残して切り欠き、後方へ回動できるように形成されたボルトの先端部を係止することができるボルト支持部材と、このボルト支持部材を所定量後方へ回動した所で係止させる係止手段と、前記ボルト支持部材に前記配線ボックスの底面に位置するように先端部が支持された、前記配線ボックス本体に器具取付板を固定する前記ナットとそれぞれ螺合するボルトとからなることを特徴とする配線ボックス。
【請求項２】
係止手段はボルト支持部材の切り欠きの一部に、該切り欠きの外周縁より外方へ突出する傾斜面が形成された係止片をボルト支持部材に固定して構成したことを特徴とする請求項1記載の配線ボックス。
【請求項３】
ボルト支持部材は配線ボックス本体の底面をＣ字状あるいはリップミゾ形鋼形状に切り欠き、接続部は薄肉あるいは複数個の溝が形成されていることを特徴とする請求項１記載の配線ボックス。
【請求項４】
配線ボックス本体の一対の筒状の上部にはボルトが通過してナットと螺合できるボルト挿入孔が形成されたリング状のセンサー用磁石が取付けられていることを特徴とする請求項１記載の配線ボックス。
【発明の詳細な説明】
【技術分野】
【０００１】
本発明はスイッチやコンセント等の配線器具を取付けるために壁板内等に設置される配線ボックスに関する。
【背景技術】
【０００２】
従来の配線ボックスは配線器具を取付けるための器具取付板をボルトで固定するため、該ボルトを配線ボックスの底面にＵ字状の溝を形成したボルト支持部材に支持させていた。
【０００３】
このため、器具取付板を配線ボックスに取付ける場合に、配線ボックスに支持されたボルトを用いて行なうので、ボルトを探したりすることなく容易に行なうことができるが、ボルト支持部材に支持されているボルトが配線ボックスの底面に当接した状態となっているため、取り外しが大変で、失敗して壁板内へ落下させてしまうという欠点があった。
また、ボルトを傾斜状態で支持して、ボルトの頭部あるいは先端部を配線ボックスの底面より浮かせて支持させる方法もあるが、この場合、ボルトを使用するまでの間に、ボルトに物がぶつかって、ボルトが脱落してしまうという危険があった。
【特許文献１】特開２０００−３２４６５０
【特許文献２】特開２００１−６９６３９
【発明の開示】
【発明が解決しようとする課題】
【０００４】
本発明は以上のような従来の欠点に鑑み、ボルトを使用するまでは配線ボックス本体の底面に当接するように位置し、使用時には取り外しが容易にできるように、ボルトの遊端部を配線ボックス本体の底面より浮き上がるように回動させることができる配線ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は合成樹脂材製の配線ボックス本体と、この配線ボックス本体の両端ほぼ中央部にナットが設けられた一対の筒状の支柱と、前記配線ボックス本体の底面に接続部を残して切り欠き、後方へ回動できるように形成されたボルトの先端部を係止することができるボルト支持部材と、このボルト支持部材を所定量後方へ回動した所で係止させる係止手段と、前記ボルト支持部材に前記配線ボックスの底面に位置するように先端部が支持された、前記配線ボックス本体に器具取付板を固定する前記ナットとそれぞれ螺合するボルトとで配線ボックスを構成している。
【発明の効果】
【０００７】
以上の説明から明らかなように、本発明にあっては次に列挙する効果が得られる。
【０００８】
（１）合成樹脂材製の配線ボックス本体と、この配線ボックス本体の両端ほぼ中央部にナットが設けられた一対の筒状の支柱と、前記配線ボックス本体の底面に接続部を残して切り欠き、後方へ回動できるように形成されたボルトの先端部を係止することができるボルト支持部材と、このボルト支持部材を所定量後方へ回動した所で係止させる係止手段と、前記ボルト支持部材に前記配線ボックスの底面に位置するように先端部が支持された、前記配線ボックス本体に器具取付板を固定する前記ナットとそれぞれ螺合するボルトとで構成されているので、配線ボックス本体に器具取付板を取付けるまでボックス本体の底面に当接した状態で器具取付板を取付けるボルトを支持させることができる。
したがって、器具取付板を取付けるまでの間に、ボルトに物が当り、ボルト支持部材より脱落する不具合を効率よく防止することができる。
【０００９】
（２）前記（１）によって、ボルトを使用する時、ボルト支持部材の遊端部側を押し込むことにより、所定量後方へ回動して、係止手段で係止させることができる。
したがって、ボルトの先端部を除く部位が配線ボックスの底面より起き上がった状態となり、容易にボルトをつまんで取り外すことができる。
よって、ボルトの取り外しに手数がかかったり、脱落させたりする不具合を効率よく防止できる。
【００１０】
（３）請求項２も前記（１）、（２）と同様な効果が得られるとともに、係止手段を容易に、コスト高になることなく設けることができる。
【００１１】
（４）請求項３も前記（１）、（２）と同様な効果が得られるとともに、ボルト支持部材を容易に回動させることができる。
【００１２】
（５）請求項４も前記（１）、（２）と同様な効果が得られるとともに、壁板で覆われてもセンサー用磁石によって、埋設位置を磁力検出器で容易に検出することができる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１はスイッチやコンセント等の配線器具を取付けるため、壁板内等に埋設される本発明の配線ボックスで、この配線ボックス１は合成樹脂材製の配線ボックス本体２と、この配線ボックス本体２の両端ほぼ中央部の底面と一体形成された上部寄りの部位にナット３、３が埋設された一対の筒状の支柱４、４と、前記配線ボックス本体２の一方の筒状の支柱４寄りの底板２ａに複数本の横溝５が形成された接続部６を残してリップミゾ形鋼形状に切り欠き７、後方へ回動できるように形成された前記ナット３、３と螺合するボルト８、８の先端部を係止する係止部９、９が形成されたボルト支持部材１０と、このボルト支持部材１０を所定量後方へ回動した所で係止できる、前記切り欠き７の前記接続部６側の一部に、該切り欠き７の外周縁より外方へ突出する傾斜面１１の係止片１２を固定した係止手段１３と、前記ボルト支持部材１０の係止部９、９に前記配線ボックス本体２の底板２ａの底面に位置するように先端部が係止された、前記ナット３、３と螺合して配線ボックス本体２に器具取付板を固定するボルト８、８と、前記配線ボックス本体２の一対の筒状の支柱４、４の上部に固定された、前記ボルト８、８が通過して前記ナット３、３と螺合できるボルト挿入孔１４、１４が形成されたリング状のセンサー用磁石１５、１５とで構成されている。
【００１５】
上記構成の配線ボックス１はボルト８、８がボルト支持部材１０の係止部９、９に係止された状態で、図５に示すように壁面１６に取付けられ配線された後、図６に示すように上部を壁板１７で覆われた状態になる。
この状態で、図７に示すように壁板１７上を磁力検出器１８をスライド移動させることにより、配線ボックス本体２の一対の筒状の支柱４、４に設けられたリング状のセンサー用磁石１５、１５の磁力線を検出して、配線ボックス１の埋設位置を特定することができ、該配線ボックス１の開口部に相当する壁板１７を切断除去する。
しかる後、ボルト支持部材１０を押し付け、図８および図９に示すようにボルト８、８の頭部８ａ、８ａが配線ボックス本体２の底面より浮き上がった状態となるように回動させ、係止手段１３でその位置に係止させる。
この状態で、ボルト８、８をボルト支持部材１０より取り外し、器具取付板１９を配線ボックス本体２の一対の筒状の支柱４、４に埋設されたナット３、３にボルト８、８を螺合させることで、配線ボックス１に器具取付板１９を固定することができる。
[発明を実施するための異なる形態]
【００１６】
次に、図１０ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１０ないし図１２に示す本発明を実施するための第２の形態において、前記本発明を実施するための最良の第１の形態と主に異なる点は、配線ボックス本体２の底板２ａに切り欠き７で形成したボルト支持部材本体２０にボルト８、８の先端部を係止できる係止部９、９および、ボルト支持部材本体２０の外周部の切り欠き７が形成された部位の配線ボックス本体２の底板２ａにボルト支持部材本体２０が所定量回動した所で係止する係止片１２、１２が形成されたボルト係止部材２１を溶着固定したボルト支持部材１０Ａを用いた点で、このように構成された配線ボックス１Ａにしても、前記本発明を実施するための最良の第１の形態と同様な作用効果が得られる。
【００１８】
図１３ないし図１５に示す本発明を実施するための第３の形態において、前記本発明を実施するための最良の第１の形態と主に異なる点は、ほぼＣ字状に切り欠き７Ａを形成してボルト支持部材１０Ｂを形成した点で、このように構成した配線ボックス１Ｂにしても、前記本発明を実施するための最良の第１の形態と同様な作用効果が得られる。
【産業上の利用可能性】
【００１９】
本発明は配線ボックスを製造する産業で利用される。
【図面の簡単な説明】
【００２０】
【図１】本発明を実施するための最良の第１の形態の正面図。
【図２】図１の２−２線に沿う断面図。
【図３】図１の３−３線に沿う断面図。
【図４】本発明を実施するための最良の第１の形態の背面図。
【図５】本発明を実施するための最良の第１の形態の壁面に取付けられた状態の説明図。
【図６】本発明を実施するための最良の第１の形態の壁板で覆われた状態の説明図。
【図７】本発明を実施するための最良の第１の形態の磁力線検出器での検出状態の説明図。
【図８】本発明を実施するための最良の第１の形態のボルト支持部材を回動させる状態の説明図。
【図９】本発明を実施するための最良の第１の形態のボルト支持部材が所定量回動した状態の説明図。
【図１０】本発明を実施するための第２の形態の正面図。
【図１１】図１０の１１−１１線に沿う断面図。
【図１２】図１０の１２−１２線に沿う断面図。
【図１３】本発明を実施するための第３の形態の正面図。
【図１４】図１３の１４−１４線に沿う断面図。
【図１５】図１３の１５−１５線に沿う断面図。
【符号の説明】
【００２１】
１、１Ａ、１Ｂ：配線ボックス、２：配線ボックス本体、
３：ナット、                  ４：筒状の支柱、
５：横溝、                    ６：接続部、
７、７Ａ：切り欠き、          ８：ボルト、
９：係止部、                                                
１０、１０Ａ、１０Ｂ：ボルト支持部材、
１１：傾斜面、                １２：係止片、
１３：係止手段、              １４：ボルト挿入孔、
１５：センサー用磁石、        １６：壁面、
１７：壁板、                  １８：磁力線検出器、
１９：器具取付板、            ２０：ボルト支持部材本体、
２１：ボルト係止部材。
【図１】
2009284686.tif 000003
【図２】
2009284686.tif 000004
【図３】
2009284686.tif 000005
【図４】
2009284686.tif 000006
【図５】
2009284686.tif 000007
【図６】
2009284686.tif 000008
【図７】
2009284686.tif 000009
【図８】
2009284686.tif 000010
【図９】
2009284686.tif 000011
【図１０】
2009284686.tif 000012
【図１１】
2009284686.tif 000013
【図１２】
2009284686.tif 000014
【図１３】
2009284686.tif 000015
【図１４】
2009284686.tif 000016
【図１５】
2009284686.tif 000017